(57)【要約】【課題】ユーザの希望により任意に目盛りスケールを変更可能な指示計及びプロセスコントローラを提供する。【解決手段】目盛りの上限値及び下限値を入力するための操作手段と、前記目盛りの上限値及び下限値に基づいて、目盛り画像データを生成する画像データ生成手段と、前記目盛り画像データに基づいて目盛り画像を表示する表示手段とを備え、前記画像データ生成手段は、前記表示手段における目盛り画像用表示領域の長辺方向のドット数に応じて、目盛りの分割数を決定することを特徴とする。【選択図】図１
2007272537.tif 000002
【特許請求の範囲】
【請求項１】
目盛りの上限値及び下限値を入力するための操作手段と、
前記目盛りの上限値及び下限値に基づいて、目盛り画像データを生成する画像データ生成手段と、
前記目盛り画像データに基づいて目盛り画像を表示する表示手段とを備え、
前記画像データ生成手段は、前記表示手段における目盛り画像用表示領域の長辺方向のドット数に応じて、目盛りの分割数を決定する、
ことを特徴とする指示計。  
【請求項２】
前記画像データ生成手段は、前記ドット数が２００の場合、目盛りの分割数を２０以下となるように決定することを特徴とする請求項１記載の指示計。
【請求項３】
前記画像データ生成手段は、前記上限値Ｌmax、前記下限値Ｌmin、前記目盛りの分割数Ｎからなる下記（１）式に基づいて、１目盛り分量ｍを算出することを特徴とする請求項１または２記載の指示計。
【数１】
2007272537.tif 000007
【請求項４】
前記画像データ生成手段は、前記上限値から下限値までの範囲に０が含まれる場合、
０を基準点として決定し、
または、前記範囲が０を含まない正の範囲である場合、
下限値の下位（前記１目盛り分量ｍの桁数−１）桁を０に設定した値を基準点として決定し、
または、前記範囲が０を含まない負の範囲である場合、
上限値の下位（前記１目盛り分量ｍの桁数−１）桁を０に設定した値を基準点として決定し、
前記基準点Ｐ０、前記１目盛り分量ｍからなる下記関係式（２）に基づいて、
仮想目盛り値Ｐ(i)を算出し、
前記仮想目盛り値Ｐ(i)の内、
基準点及び前記上限値から下限値までの範囲に含まれる値に目盛り線を割り当てる、
ことを特徴とする請求項３記載の指示計。
【数２】
2007272537.tif 000008
【請求項５】
前記画像データ生成手段は、前記目盛り線の内、仮想目盛り値Ｐ(i)、基準点Ｐ０及び１目盛り分量ｍからなる下記関係式（３）の解Ｔ１(i)の余りが０となる仮想目盛り値Ｐ(i)に割り当てられた目盛り線と、前記上限値及び下限値に割り当てられた目盛り線とを親目盛り線として決定することを特徴とする請求項４記載の指示計。
【数３】
2007272537.tif 000009
【請求項６】
前記画像データ生成手段は、前記目盛り線の内、仮想目盛り値Ｐ(i)、基準点Ｐ０及び１目盛り分量ｍからなる下記関係式（４）の解Ｔ２(i)の余り、または下記関係式（５）の解Ｔ３(i)の余りが０となる仮想目盛り値Ｐ(i)に割り当てられた目盛り線と、前記上限値及び下限値に割り当てられた目盛り線とに目盛り数字を割り当てることを特徴とする請求項５記載の指示計。
【数４】
2007272537.tif 000010
【請求項７】
前記画像データ生成手段は、前記操作手段に目盛りの単位と倍率との少なくとも一方が入力された場合、前記単位と倍率との少なくとも一方が表示されるように、目盛り画像データを生成することを特徴とする請求項１〜６のいずれか一項に記載の指示計。
【請求項８】
請求項１〜７のいずれか一項に記載の指示計を備えることを特徴とするプロセスコントローラ。
【発明の詳細な説明】
【技術分野】
【０００１】
本発明は、例えばプラント等に備えられたプロセス設備から入力されるプロセス値をメータ表示する指示計、及び当該指示計を備えたプロセスコントローラに関する。
【背景技術】
【０００２】
従来より、プラント等の制御を行なう産業制御分野においては、予め記憶された制御プログラムに基づいて、制御対象を制御するプロセスコントローラが広く用いられている。
一般的に、このようなプロセスコントローラには、プロセス設備等の制御対象から入力されるプロセス値をメータ表示する指示計が備えられている（例えば下記特許文献１参照）。
【０００３】
図７（a）に従来のプロセスコントローラの構成概略図を示す。この図に示すように、従来のプロセスコントローラは、制御演算部１０、表示コントロール部２０及び表示器３０から構成されている。また、表示器３０は、例えばアナログメータである表示部３０a、警報ランプ３０b、操作キー３０cから構成されている。
【０００４】
制御演算部１０は、プロセス設備等の制御対象や外部制御装置等から入力される外部入力信号と、表示器３０（詳細には操作キー３０c）から表示コントロール部２０を介して入力される操作信号とに基づいて所定の演算処理を行い、プロセスコントローラの全体動作を制御するものであり、制御対象を制御するための制御信号や、演算処理結果を示す信号（例えば警報信号）等を外部出力信号として出力する。なお、外部入力信号及び外部出力信号にはアナログ信号とデジタル信号の両方が含まれる。表示コントロール部２０は、上記制御演算部１０の制御の下、表示器３０（詳細には表示部３０a）に画像を表示させるための表示信号や、警報ランプ３０bを点灯させるための警報ランプ点灯信号を表示器３０に出力する。表示器３０の表示部３０aは、上記表示信号に基づいて所定の画像を表示する。警報ランプ３０bは、例えば発光ダイオードであり、上記警報ランプ点灯信号に基づいて点灯する。操作キー３０cは、オペレータによるキー操作を操作信号として表示コントロール部２０に出力する。
【０００５】
このように構成された従来のプロセスコントローラの動作について以下説明する。例えば、制御対象に設けられた温度センサから温度信号がプロセスコントローラの制御演算部１０に入力される。制御演算部１０は、上記温度信号に基づいて、表示コントロール部２０に対し温度表示を行うよう指示する。そして、表示コントロール部２０は、上記指示の下、制御対象の温度を表示するための表示信号を生成し、表示器３０に出力する。これにより、表示器３０の表示部３０aには、図７（b）に示すようなアナログメータによって制御対象の温度が表示される。図７（b）において、ＰＶ指針４０は温度（プロセス値）によって変動し、また、ＳＶ指針４１は温度設定値を指し示している。このように、プロセスコントローラは非常に視認性の優れた指示計を備えており、オペレータはこのメータ表示を見ることにより、制御対象の状態を正確に認識することができる。  
【特許文献１】特開平５−８８７４４号公報
【発明の開示】
【発明が解決しようとする課題】
【０００６】
ところで、図７（b）において、目盛り数字４２、倍率４３、単位４４、親目盛り線４５、中目盛り線４６及び子目盛り線４７は、予めフィルム等に印刷され、表示部３０aに貼り付けられたものである。従って、目盛りのスケールや単位が異なる場合など、プロセスコントローラの用途に応じて、上記のような目盛り用フィルムを作成する必要があった。また、一度プロセスコントローラが出荷されてしまうと、以後目盛り用フィルムを交換することが困難であった。
【０００７】
本発明は、このような事情に鑑みてなされたものであり、ユーザの希望により任意に目盛りスケールを変更可能な指示計及びプロセスコントローラを提供することを目的とする。
【課題を解決するための手段】
【０００８】
上記課題を解決するために、本発明では、指示計に係る第１の解決手段として、目盛りの上限値及び下限値を入力するための操作手段と、前記目盛りの上限値及び下限値に基づいて、目盛り画像データを生成する画像データ生成手段と、前記目盛り画像データに基づいて目盛り画像を表示する表示手段とを備え、前記画像データ生成手段は、前記表示手段における目盛り画像用表示領域の長辺方向のドット数に応じて、目盛りの分割数を決定することを特徴とする。
【０００９】
また、本発明では、指示計に係る第２の解決手段として、上記第１の解決手段において、前記画像データ生成手段は、前記ドット数が２００の場合、目盛りの分割数を２０以下となるように決定することを特徴とする。
【００１０】
また、本発明では、指示計に係る第３の解決手段として、上記第１または２の解決手段において、前記画像データ生成手段は、前記上限値Ｌmax、前記下限値Ｌmin、前記目盛りの分割数Ｎからなる下記（１）式に基づいて、１目盛り分量ｍを算出することを特徴とする。
【００１１】
【数１】
2007272537.tif 000003
【００１２】
また、本発明では、指示計に係る第４の解決手段として、上記第３の解決手段において、前記画像データ生成手段は、前記上限値から下限値までの範囲に０が含まれる場合、０を基準点として決定し、または、前記範囲が０を含まない正の範囲である場合、下限値の下位（前記１目盛り分量ｍの桁数−１）桁を０に設定した値を基準点として決定し、または、前記範囲が０を含まない負の範囲である場合、上限値の下位（前記１目盛り分量ｍの桁数−１）桁を０に設定した値を基準点として決定し、前記基準点Ｐ０、前記１目盛り分量ｍからなる下記関係式（２）に基づいて、仮想目盛り値Ｐ(i)を算出し、前記仮想目盛り値Ｐ(i)の内、基準点及び前記上限値から下限値までの範囲に含まれる値に目盛り線を割り当てることを特徴とする。
【００１３】
【数２】
2007272537.tif 000004
【００１４】
また、本発明では、指示計に係る第５の解決手段として、上記第４の解決手段において、前記画像データ生成手段は、前記目盛り線の内、仮想目盛り値Ｐ(i)、基準点Ｐ０及び１目盛り分量ｍからなる下記関係式（３）の解Ｔ１(i)の余りが０となる仮想目盛り値Ｐ(i)に割り当てられた目盛り線と、前記上限値及び下限値に割り当てられた目盛り線とを親目盛り線として決定することを特徴とする。
【００１５】
【数３】
2007272537.tif 000005
【００１６】
また、本発明では、指示計に係る第６の解決手段として、上記第５の解決手段において、前記画像データ生成手段は、前記目盛り線の内、仮想目盛り値Ｐ(i)、基準点Ｐ０及び１目盛り分量ｍからなる下記関係式（４）の解Ｔ２(i)の余り、または下記関係式（５）の解Ｔ３(i)の余りが０となる仮想目盛り値Ｐ(i)に割り当てられた目盛り線と、前記上限値及び下限値に割り当てられた目盛り線とに目盛り数字を割り当てることを特徴とする。
【００１７】
【数４】
2007272537.tif 000006
【００１８】
また、本発明では、指示計に係る第７の解決手段として、上記第１〜６のいずれかの解決手段において、前記画像データ生成手段は、前記操作手段に目盛りの単位と倍率との少なくとも一方が入力された場合、前記単位と倍率との少なくとも一方が表示されるように、目盛り画像データを生成することを特徴とする。
【００１９】
さらに、本発明では、プロセスコントローラに係る第１の解決手段として、上記第１〜第７のいずれかの解決手段を有する指示計を備えることを特徴とする。
【発明の効果】
【００２０】
本発明によれば、ユーザが操作手段を介して入力した目盛りの上限値及び下限値に応じて目盛り画像データが生成されるため、ユーザの希望により任意に目盛りスケールを変更可能な指示計及びプロセスコントローラを提供することができる。
【発明を実施するための最良の形態】
【００２１】
以下、図面を参照して、本発明の一実施形態について説明する。図１は、本実施形態における指示計を備えるプロセスコントローラの構成概略図である。なお、この図１において、図７（a）に示す従来のプロセスコントローラと同じ構成要素には同一符号を付し、説明を省略する。
【００２２】
本実施形態におけるプロセスコントローラと、従来のプロセスコントローラとの異なる点は、表示コントロール部２０が、目盛り画像データ生成部（画像データ生成手段）２０bを備える表示コントロール部２０aに置き換わっていることである。この表示コントロール部２０aは、ユーザが操作キー３０c（操作手段）を操作することにより、当該操作キー３０cから目盛り設定モードへの移行指示を示す操作信号が入力された場合、目盛り設定モードに移行し、目盛り画像データ生成部２０bに対して目盛り画像データを生成するように要求する。目盛り画像データ生成部２０bは、ユーザが操作キー３０cの操作により入力した目盛りの上限値、下限値、単位及び倍率に基づいて所定の演算処理を行い、目盛り画像データを生成し、当該目盛り画像データを表示器３０（詳細には表示部３０a）に出力する。表示部３０a（表示手段）は、上記目盛り画像データに基づき、目盛り画像を表示する。
【００２３】
なお、上記表示コントロール部２０aは、ユーザが操作キー３０cを操作することにより、当該操作キー３０cから通常動作モード（オートモード）への移行指示を示す操作信号が入力された場合、目盛り設定モードから通常動作モードへ移行し、制御演算部１０の制御の下、制御対象のプロセス値（温度等）を表示するための表示信号を生成し、表示器３０（詳細には表示部３０a）に出力する。つまり、通常動作モードでは、表示部３０aにおいて目盛り画像と共にプロセス値を示す画像（ＰＶ指針４０やＳＶ指針４１）が表示される。
【００２４】
次に、このように構成された本プロセスコントローラの動作について説明する。なお、以下では、本プロセスコントローラにおける特徴的な動作、つまり目盛り設定モード時における動作について説明し、他の動作については従来と同様なので説明を省略する。
【００２５】
図２（a）は、本プロセスコントローラの目盛り設定モード時における目盛り画像データ生成部２０bの動作フローチャートである。
まず、目盛り画像データ生成部２０bは、ユーザが操作キー３０cの操作により入力した目盛りの上限値及び下限値に基づいて、目盛りの分割数を決定する（ステップＳ１）。ここで、目盛りの分割数は、表示部３０aにおける目盛り画像用表示領域の長辺方向のドット数に応じて決定する。具体的に説明すると、図３（a）に示すように、例えば、表示部３０aにおける目盛り画像用表示領域Ｗの長辺方向のドット数が２００ドットと規定されている場合、目盛りの分割数Ｎが２０以下となるように決定する。つまり、例えば目盛りの分割数Ｎ＝２０の場合、図３（a）に示すように、１０ドット間隔で目盛り線用のドットが確保されることになる。なお、この段階では、あくまで目盛り線用のドットが決定されたのみであり、実際に目盛り線は引かれていない。
【００２６】
例えば、表示器３０の表示分解能により、目盛りの上限値及び下限値の設定値によっては、目盛り線の間隔が等間隔ではなく、ある一部分だけが狭い間隔または広い間隔になる場合がある。従って、このような目盛り線の間隔のバラツキが、ユーザに違和感となって認識されない程度の値に目盛りの分割数Ｎを設定することが望ましい。以下、本実施形態では、目盛り画像用表示領域Ｗの長辺方向のドット数が２００ドットの場合を想定して説明するが、この場合、上述したように、目盛りの分割数Ｎが２０以下となるように決定することが最適である。また、目盛りの分割数Ｎは、目盛り画像用表示領域Ｗの長辺方向のドット数に応じて適宜変更しても良い。
【００２７】
さらに、目盛りの分割数Ｎの詳細な決定方法について、図２（b）の分割数決定ルーチンを用いて説明する。まず、目盛り画像データ生成部２０bは、上限値Ｌmaxと下限値Ｌminとの差（以下スケーリングスパンＬという）を１／１００倍、１／１０倍、１倍、１０倍、１００倍等してＸが、１００＜Ｘ≦１０００の範囲に含まれるようなＸを探索する（ステップＳ１a）。なお、スケーリングスパンＬ＝Ｌmax−Ｌminである。
【００２８】
続いて、目盛り画像データ生成部２０bは、上記のように求めたＸの値が２００以下であるか否かを判定する（ステップＳ１b）。このステップＳ１bにおいて、「No」、つまりＸ＞２００であった場合、目盛り画像データ生成部２０bは、Ｘを５０で除算した値を新たなＸとして決定する（ステップＳ１c）。一方、ステップＳ１bにおいて、「YES」、つまりＸ≦２００であった場合、目盛り画像データ生成部２０bは、Ｘを１０で除算した値を新たなＸとして決定し（ステップＳ１d）、Ｘの値を目盛りの分割数Ｎに決定する（ステップＳ１ｇ）。
【００２９】
次に、目盛り画像データ生成部２０bは、上記ステップＳ１cで決定したＸの値が９より大きいか否かを判定する（ステップＳ１e）。このステップＳ１eにおいて、「No」、つまりＸ≦９であった場合、目盛り画像データ生成部２０bは、Ｘを２倍した値を新たなＸとして決定し（ステップＳ１f）、ステップＳ１eに移行する。一方、ステップＳ１eにおいて、「YES」、つまりＸ＞９であった場合、目盛り画像データ生成部２０bは、ステップＳ１gに移行し、Ｘの値を目盛りの分割数Ｎに決定する。
【００３０】
例えば、上限値Ｌmax＝１００、下限値Ｌmin＝０で、スケーリングスパンＬ＝１００の場合、上記のような分割数決定ルーチンによって目盛りの分割数Ｎ＝２０となる。また、例えば、上限値Ｌmax＝１０、下限値Ｌmin＝０で、スケーリングスパンＬ＝１０の場合も同様に、目盛りの分割数Ｎ＝２０となる。また、例えば、上限値Ｌmax＝８００、下限値Ｌmin＝０で、スケーリングスパンＬ＝８００の場合、目盛りの分割数Ｎ＝１６となる。つまり、上述したように目盛りの分割数Ｎは、常に９より大きく、２０以下の値となるように決定される。
【００３１】
再び図２（a）のフローチャートに戻って説明すると、次に、目盛り画像データ生成部２０bは、上限値Ｌmax、前記下限値Ｌmin及び目盛りの分割数Ｎからなる上記（１）式に基づいて、１目盛り分量ｍを算出する（ステップＳ２）。例えば、上限値Ｌmax＝１００、下限値Ｌmin＝０で、スケーリングスパンＬ＝１００の場合、目盛りの分割数Ｎ＝２０なので、図３（b）に示すように、１目盛り分量ｍ＝５となる。なお、図３（b）では、説明の便宜上、目盛り数字を表示して説明したが、実際にはこの段階で目盛り数字及び目盛り線は決定されていない。
【００３２】
続いて、目盛り画像データ生成部２０bは、目盛り線を引くための基準点Ｐ０を決定する（ステップＳ３）。具体的には、上限値Ｌmaxから下限値Ｌminまでの範囲（レンジ）に０が含まれる場合、０を基準点Ｐ０として決定する。例えば、上限値Ｌmax＝１００、下限値Ｌmin＝０の場合、図３（b）に示すように、下限値である０が基準点Ｐ０となる。また、上限値Ｌmax＝１００、下限値Ｌmin＝−１００の場合、図４（a）に示すように、中間値である０が基準点Ｐ０となる。
【００３３】
一方、レンジが０を含まない正のレンジである場合、例えば、０＜ｍ＜１００のとき、下限値Ｌmin−(下限値Ｌmin/１０の余り)で算出した値を基準点Ｐ０とする。また、１００≦ｍ＜１０００のとき、下限値Ｌmin−(下限値Ｌmin/１００の余り)で算出した値を基準点Ｐ０とする。 以下、同様に１目盛り分量ｍが一桁増すごとに０にする桁を一桁増やす。例えば、上限値Ｌmax＝１１１、下限値Ｌmin＝１１の場合、基準点Ｐ０＝１０となる。このように、上限値Ｌmax＝１１１、下限値Ｌmin＝１１の場合、下限値Ｌminを直接基準点として決定すると、中途半端な値が基準点となってしまい、かえってユーザにとってわかりづらい目盛り表示となってしまう。このような目盛りはプロセスコントローラにとって不適当であるため、レンジが０を含まない正のレンジである場合は、上記のように求めた値を基準点Ｐ０として決定する。
【００３４】
また、レンジが０を含まない負のレンジである場合、例えば、０＜ｍ＜１００のとき、上限値Ｌmax−(上限値Ｌmax/１０の余り)で算出した値を基準点Ｐ０とする。また、１００≦ｍ＜１０００のとき、上限値Ｌmax−(上限値Ｌmax/１００の余り)で算出した値を基準点Ｐ０とする。以下、同様に１目盛り分量ｍが一桁増すごとに０にする桁を一桁増やす。このように、レンジが０を含まない負のレンジである場合に、上記で求めた値を基準点Ｐ０として決定する理由は、上記レンジが０を含まない正のレンジである場合と同様である。
【００３５】
次に、目盛り画像データ生成部２０bは、上記のように求めた基準点Ｐ０、１目盛り分量ｍからなる上記関係式（２）に基づいて、仮想目盛り値Ｐ(i)を算出する（ステップＳ４）。例えば、上限値Ｌmax＝１００、下限値Ｌmin＝０の場合、基準点Ｐ０＝０、１目盛り分量ｍ＝５なので、図４（b）に示すように、仮想目盛り値Ｐ(i)は（−１００、−９５、・・・、０、・・・、９５、１００）の値をとる。なお、図４（b）では、説明の便宜上、仮想目盛り値Ｐ(i)を表示して説明したが、この仮想目盛り値Ｐ(i)は仮想的な目盛り値であり、この段階では未だ目盛り線及び目盛り数字は決定されていない。
【００３６】
そして、目盛り画像データ生成部２０bは、仮想目盛り値Ｐ(i)の内、基準点Ｐ０及びレンジに含まれる値に目盛り線を割り当てる（ステップＳ５）。例えば、上限値Ｌmax＝１００、下限値Ｌmin＝０の場合、図５（a）に示すように目盛り線が割り当てられる。ここで、初めて目盛り線が割り当てられることになる。なお、図５（a）では、説明の便宜上、仮想目盛り値Ｐ(i)を表示して説明したが、この段階では目盛り数字は決定されていない。
【００３７】
続いて、目盛り画像データ生成部２０bは、上記のように決定した目盛り線の内、仮想目盛り値Ｐ(i)、基準点Ｐ０及び１目盛り分量ｍからなる上記関係式（３）の解Ｔ１(i)の余りが０となる仮想目盛り値Ｐ(i)に割り当てられた目盛り線と、上限値及び下限値に割り当てられた目盛り線とを親目盛り線として決定する（ステップＳ６）。例えば、上限値Ｌmax＝１００、下限値Ｌmin＝０の場合、図５（b）に示すように、上限値及び下限値と２目盛り分の目盛り線とが親目盛り線として決定される。なお、隣合う親目盛り線が密接するように配置してしまうと視認性が悪化してしまう。これを防止するため、本実施形態では、２目盛り毎に親目盛り線を配置したが、これに限定されず、目盛りの分割数Ｎ、または目盛り画像用表示領域Ｗの長辺方向のドット数に応じて適宜変更しても良い。
【００３８】
そして、目盛り画像データ生成部２０bは、上記のように割り当てた目盛り線の内、仮想目盛り値Ｐ(i)、基準点Ｐ０及び１目盛り分量ｍからなる上記関係式（４）の解Ｔ２(i)、または上記関係式（５）の解Ｔ３(i)の余りが０となる仮想目盛り値Ｐ(i)に割り当てられた目盛り線と、上限値及び下限値に割り当てられた目盛り線とに目盛り数字を割り当てる（ステップＳ７）。例えば、上限値Ｌmax＝１００、下限値Ｌmin＝０の場合、目盛りの分割数Ｎ＞１２なので、図６（a）に示すように、上限値及び下限値と４目盛り分の目盛り線とに目盛り数字が割り当てられる。また、例えば、目盛りの分割数Ｎ≦１２の場合、（５）式に基づき、上限値及び下限値と２目盛り分の目盛り線とに目盛り数字が割り当てられる。なお、隣合う目盛り数字が密接するように配置してしまうと視認性が悪化してしまう。これを防止するため、本実施形態では、４目盛り毎または２目盛り毎に目盛り数字を配置したが、これに限定されず、目盛りの分割数Ｎ、または目盛り画像用表示領域Ｗの長辺方向のドット数に応じて適宜変更しても良い。
【００３９】
目盛り画像データ生成部２０bは、上記のような処理により、目盛り線（親目盛り線を含む）及び目盛り数字の配置を決定すると、これら目盛り線及び目盛り数字と、操作キー３０cから入力された目盛りの単位及び倍率とを含む目盛り画像データを生成する（ステップＳ８）。図６（b）及び図６（c）は、上記のように目盛り画像データの生成後、通常動作モードに戻った場合に、表示部３０aに表示される目盛り画像の一例である。なお、図６（b）は、ユーザから設定値として、上限値Ｌmax＝１００、下限値Ｌmin＝０、単位（ｍ３／ｈ）及び倍率（×１０２）が入力された場合の表示例を示す。また、図６（c）は、ユーザから設定値として、上限値Ｌmax＝８００、下限値Ｌmin＝０、単位（°Ｃ）が入力された場合の表示例を示す。これら図６（b）及び図６（c）に示すように、通常動作モードでは、表示部３０aにおいて目盛り画像と共にプロセス値を示す画像（ＰＶ指針４０やＳＶ指針４１）が表示される。なお、これらの図に示すように、ＰＶ指針４０やＳＶ指針４１が指し示す値をデジタル表示により詳細な値が表示される。
【００４０】
以上のように、本実施形態によれば、ユーザが操作キー３０cを介して入力した目盛りの上限値及び下限値に応じて目盛り画像データが生成されるため、ユーザの希望により任意に目盛りスケールを変更することが可能である。また、上記実施形態では、プロセスコントローラを例示して説明したが、指示計単体であっても本発明は適用可能である。
【図面の簡単な説明】
【００４１】
【図１】本発明の一実施形態におけるプロセスコントローラの構成概略図である。
【図２】本発明の一実施形態におけるプロセスコントローラの目盛り設定モード時における動作フローチャートである。
【図３】本発明の一実施形態におけるプロセスコントローラの目盛り設定モード時における目盛り設定処理を示す第１の説明図である。
【図４】本発明の一実施形態におけるプロセスコントローラの目盛り設定モード時における目盛り設定処理を示す第２の説明図である。
【図５】本発明の一実施形態におけるプロセスコントローラの目盛り設定モード時における目盛り設定処理を示す第３の説明図である。
【図６】本発明の一実施形態におけるプロセスコントローラの目盛り設定モード時における目盛り設定処理を示す第４の説明図である。
【図７】従来のプロセスコントローラの説明図である。
【符号の説明】
【００４２】
１０…制御演算部、２０a…表示コントロール部、２０b…目盛り画像データ生成部（画像データ生成手段）、３０…表示器、３０a…表示部（表示手段）、３０b…警報ランプ、３０c…操作キー（操作手段）
【図１】
2007272537.tif 000011
【図２】
2007272537.tif 000012
【図３】
2007272537.tif 000013
【図４】
2007272537.tif 000014
【図５】
2007272537.tif 000015
【図６】
2007272537.tif 000016
【図７】
2007272537.tif 000017